(57)【要約】【課題】部屋毎の冷暖房により生じた冷気または暖気を有効利用することを可能にする建物を提供する。【解決手段】建物１００の外気を、一階部分１１０及び２階部分１２０の各冷暖房装置７００により生じた冷気または暖気と混合させ、この混合気を建物１００の外壁１０１と内壁との間に形成された通気用空間６０１、６０２、６０３ａ、６０３ｂ、６０４の内部において循環させ、一階部分１１０及び２階部分１２０に対して外側から冷暖房効果を与える。【選択図】図１
0003138308.tif 000002
【実用新案登録請求の範囲】
【請求項１】
冷気または暖気を循環させる構造を有するＮ（Ｎは１以上の整数）階建ての建物であって、
前記建物の外部に開口する外気取り入れ口と、前記Ｎ階の各階に開口する外気排出口と、を有する外気取り入れ用パイプと、
前記外気取り入れ用パイプを介して、前記建物の外部の外気を前記Ｎ階の各階に供給する外気供給装置と、
前記Ｎ階の各階の内部に開口する排気取り入れ口と、前記Ｎ階の各階の外部に開口する排気排出口とを有する排気用パイプと、
前記Ｎ階の各階の内部の空気を前記排気用パイプを介して前記Ｎ階の各階の外部に排気する排気装置と、
を備え、
前記建物は、一階と基礎構造との間、前記Ｎ階の各階の間、前記建物の外壁と前記Ｎ階の各階の外壁との間、最上階と天井との間にそれぞれ通気用空間が形成されており、
前記天井には前記建物の外部に通じる通気用開口部が形成されており、
前記外気供給装置により前記外気取り入れ用パイプを介して前記建物の外部から前記Ｎ階の各階に供給された空気は、前記排気装置により前記排気用パイプを介して前記Ｎ階の各階の内部から前記Ｎ階の各階の外部に排出され、前記空気は前記通気用空間の少なくとも一部を通過した後、前記通気用開口部を介して前記建物の外部に排出される建物。
【考案の詳細な説明】
【技術分野】
【０００１】
本考案は、冷気または暖気を内部において循環させる構造を有するＮ（Ｎは２以上の整数）階建ての建物に関する。
【背景技術】
【０００２】
従来、建物の冷暖房は部屋毎に行われていた。例えば、各部屋にヒーター、エアコンディショナーなどの冷暖房装置が配置され、部屋毎に温度調節が行われていた。あるいは、セントラルヒーティング方式の建物にあっても、各部屋に冷気または暖気の排出口が設けられており、部屋毎に冷気または暖気の排出量が調節され、部屋毎に温度調節が行われていた。
【考案の開示】
【考案が解決しようとする課題】
【０００３】
このように、部屋毎に冷暖房が行われていたとしても、それらの部屋の冷気または暖気は換気のために窓を開けたときに建物の外部に逃げてしまい、冷気または暖気の有効利用はなされていなかった。
【０００４】
本考案は、このような点に鑑みてなされたものであり、部屋毎の冷暖房により生じた冷気または暖気を有効利用することを可能にする建物を提供することを目的とする。
【課題を解決するための手段】
【０００５】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００６】
上記の目的を達成するため、本考案は、冷気または暖気を循環させる構造を有するＮ（Ｎは１以上の整数）階建ての建物（１００）であって、前記建物（１００）の外部に開口する外気取り入れ口（２１０）と、前記Ｎ階の各階（１１０、１２０）に開口する外気排出口（２２０）と、を有する外気取り入れ用パイプ（２００）と、前記外気取り入れ用パイプ（２００）を介して、前記建物（１００）の外部の外気を前記Ｎ階の各階（１１０、１２０）に供給する外気供給装置（３００）と、前記Ｎ階の各階（１１０、１２０）の内部に開口する排気取り入れ口（４１０）と、前記Ｎ階の各階（１１０、１２０）の外部に開口する排気排出口（４２０）とを有する排気用パイプ（４００）と、前記Ｎ階の各階（１１０、１２０）の内部の空気を前記排気用パイプ（４００）を介して前記Ｎ階の各階（１１０、１２０）の外部に排気する排気装置（５００）と、を備え、前記建物（１００）は、一階（１１０）と基礎構造との間、前記Ｎ階の各階（１１０、１２０）の間、前記建物（１００）の外壁（１０１）と前記Ｎ階の各階（１１０、１２０）の外壁（１１１、１２１）との間、最上階と天井（１３０）との間にそれぞれ通気用空間（６０１、６０２、６０３ａ、６０３ｂ、６０４）が形成されており、前記天井（１３０）には前記建物（１００）の外部に通じる通気用開口部（１３５）が形成されており、前記外気供給装置（３００）により前記外気取り入れ用パイプ（２００）を介して前記建物（１００）の外部から前記Ｎ階の各階（１１０、１２０）に供給された空気は、前記排気装置（５００）により前記排気用パイプ（４００）を介して前記Ｎ階の各階（１１０、１２０）の内部から前記Ｎ階の各階（１１０、１２０）の外部に排出され、前記空気は前記通気用空間（６０１、６０２、６０３ａ、６０３ｂ、６０４）の少なくとも一部を通過した後、前記通気用開口部（１３５）を介して前記建物（１００）の外部に排出される建物（１００）を提供する。
【考案の効果】
【０００７】
建物の外部から供給された外気は、Ｎ階の各階における冷暖房の結果として生じた冷気または暖気とが混合し、外気よりも冷たい混合気または外気よりも暖かい混合気となる。この混合気はＮ階の各階から放出された後、各通気用空間を通り、建物の内部を循環する。この結果、Ｎ階の各階が冷気または暖気に包まれることになり、各階の温度がある程度下がるか、あるいは、上がる。
【０００８】
このように、本考案に係る建物によれば、最終的には建物の外部に放出される冷気または暖気を建物の内部で循環させることにより、各階を外側から冷し、あるいは、温める。すなわち、本考案に係る建物によれば、各階毎（あるいは、部屋毎）の冷暖房により生じた冷気または暖気を有効利用することが可能になる。
【考案を実施するための最良の形態】
【０００９】
図１は、本考案の一実施形態に係る建物１００の内部構造を示す概略的な縦断面図である。
【００１０】
本実施形態に係る建物１００は１階部分１１０と２階部分１２０とを有する２階建てである。
【００１１】
本実施形態に係る建物１００は、建物１００の外部に開口する外気取り入れ口２１０と、１階部分１１０及び２階部分１２０の各々に開口する外気排出口２２０と、を有する外気取り入れ用パイプ２００と、建物１００の外部において、建物１００の外壁に取り付けられ、外気取り入れ用パイプ２００を介して、建物１００の外部の外気を１階部分１１０及び２階部分１２０の各々に供給する外気供給装置としてのファン３００と、１階部分１１０及び２階部分１２０の各々の内部に開口する排気取り入れ口４１０と、１階部分１１０及び２階部分１２０の外部に開口する排気排出口４２０とを有する排気用パイプ４００と、１階部分１１０及び２階部分１２０の各々の内壁に取り付けられ、１階部分１１０及び２階部分１２０の各々の内部の空気を排気用パイプ４００を介して１階部分１１０及び２階部分１２０の外部に排気する排気装置としての第二ファン５００と、を備えている。
【００１２】
本実施形態に係る建物１００においては、一階部分１１０と基礎構造との間の床下に第一通気用空間６０１が形成され、１階部分１１０と２階部分１２０との間に第二通気用空間６０２が形成され、建物１００の外壁と１階部分１１０の外壁１１１及び２階部分１２０の外壁１２１（外壁１１１及び１２１は建物１００の内壁に相当する）との間に第三通気用空間６０３ａ（図１の右側）、６０３ｂ（図１の左側）が形成され、最上階である２階部分１２０と天井１３０との間に第四通気用空間６０４がそれぞれ形成されている。
【００１３】
天井１３０には通気用開口部１３５が形成されている。
【００１４】
天井１３０と屋根１４０との間には屋根裏空間１４５が形成されており、屋根裏空間１４５には、建物１００の外部に通じる屋根裏排気口１４６が形成されている。
【００１５】
通気用開口部１３５は屋根裏空間１４５及び屋根裏排気口１４６を介して建物１００の外部と連通している。
【００１６】
１階部分１１０及び２階部分１２０の各々には冷暖房装置７００が配置されている。
【００１７】
以上のような構造を有する本実施形態に係る建物１００は以下のような機能を奏する。
【００１８】
ファン３００によって外気取り入れ用パイプ２００の外気取り入れ口２１０を介して取り入れられた外気は、矢印Ａ１に示すように、外気取り入れ用パイプ２００の中を進み、外気排出口２２０から１階部分１１０及び２階部分１２０に供給される。
【００１９】
１階部分１１０及び２階部分１２０の内部の空気は冷暖房装置７００により冷却または加熱され、冷気または暖気となっている。
【００２０】
外気排出口２２０から１階部分１１０及び２階部分１２０に供給された外気はこれらの冷気または暖気と混合する（以下、外気と冷気または暖気との混合の結果生じた空気を「混合気」と呼ぶ）。この混合気は冷気または暖気を含むものであるため、建物１００の外部の外気よりも冷たい、あるいは、暖かい。
【００２１】
１階部分１１０及び２階部分１２０の内部の混合気は、第二ファン５００によって、排気取り入れ口４１０から排気用パイプ４００に吸入される。
【００２２】
排気用パイプ４００に吸入された混合気は、矢印Ａ２に示すように、排気用パイプ４００の中を進み、排気排出口４２０から第一通気用空間６０１に排出される。
【００２３】
第一通気用空間６０１に排出された混合気の大半は、矢印Ａ３に示すように、第一通気用空間６０１から第三通気用空間６０３ｂを経て第四通気用空間６０４に進み、最終的には、天井１３０に形成された通気用開口部１３５に到達する。
【００２４】
第一通気用空間６０１に排出された混合気の残りは、矢印Ａ４に示すように、第一通気用空間６０１から第三通気用空間６０３ａを経て第四通気用空間６０４に進み、最終的には、天井１３０に形成された通気用開口部１３５に到達する。
【００２５】
また、第一通気用空間６０１から第三通気用空間６０３ｂに進んだ混合気のうちの一部は第二通気用空間６０２に進み、第二通気用空間６０２から第三通気用空間６０３ａに到達し、第三通気用空間６０３ａ内の混合気と合流する。
【００２６】
同様に、第一通気用空間６０１から第三通気用空間６０３ａに進んだ混合気のうちの一部は第二通気用空間６０２に進み、第二通気用空間６０２から第三通気用空間６０３ｂに到達し、第三通気用空間６０３ｂ内の混合気と合流する。
【００２７】
以上のように、混合気は第一通気用空間６０１、第三通気用空間６０３ａ及び６０３ｂ、第四通気用空間６０４、第二通気用空間６０２を進むことにより、建物１００の内部を循環する。
【００２８】
建物１００の内部を循環した混合気は最終的には天井１３０に形成された通気用開口部１３５に到達し、矢印Ａ６に示すように、屋根裏空間１４５を経て、屋根裏排気口１４６から建物１００の外部に排出される。
【００２９】
混合気は、建物１００の外部から供給された外気に、１階部分１１０及び２階部分１２０における冷暖房の結果として生じた冷気または暖気とが混合したものであるため、外気よりも冷たいか（温度が低い）、あるいは、暖かい（温度が高い）。
【００３０】
このため、混合気が建物１００の内部を循環する結果、１階部分１１０及び２階部分が冷気または暖気に包まれることになり、１階部分１１０及び２階部分の温度がある程度下がるか、あるいは、上がる。
【００３１】
このように、本実施形態に係る建物１００によれば、最終的には建物１００の外部に放出される冷気または暖気を建物１００の内部で循環させることにより、１階部分１１０及び２階部分１２０を外側から冷し、あるいは、温める。
【００３２】
すなわち、本実施形態に係る建物１００によれば、部屋毎（あるいは、各階毎）の冷暖房により生じた冷気または暖気を有効利用することが可能になる。
【００３３】
本実施形態に係る建物１００は以上のような構造に限定されるものではなく、種々の改変が可能である。
【００３４】
説明を単純化するため、本実施形態に係る建物１００は２階建てであるものと想定したが、建物１００は１階建てあるいはＭ階建て（Ｍは３以上の整数）とすることも可能である。建物１００の階数には制限はない。
【００３５】
ファン３００及び第二ファン５００には、空気を吸引し、吸引した空気を放出する機能を有するものであるが、この機能に加えて、例えば、空気中の微粒子を捕集するフィルターを内蔵させ、空気濾過機能を加えることも可能である。あるいは、ファン３００及び第二ファン５００とは別個の空気フィルターをファン３００及び第二ファン５００と並列に配置することも可能である。
【図面の簡単な説明】
【００３６】
【図１】本考案の一実施形態に係る建物の内部構造を示す概略的な縦断面図である。
【符号の説明】
【００３７】
１００  本考案の一実施形態に係る建物
１０１  建物の外壁
１１０  １階部分
１１１  １階部分の外壁
１２０  ２階部分
１２１  ２階部分の外壁
１３０  天井
１３５  通気用開口部
１４０  屋根
１４５  屋根裏空間
１４６  屋根裏排気口
２００  外気取り入れ用パイプ
２１０  外気取り入れ口
２２０  外気排出口
３００  ファン
４００  排気用パイプ
４１０  排気取り入れ口
４２０  排気排出口
５００  第二ファン
６０１  第一通気用空間
６０２  第二通気用空間
６０３ａ、６０３ｂ  第三通気用空間
６０４  第四通気用空間
７００  冷暖房装置
【図１】
0003138308.tif 000003